(57)【要約】      （修正有）【課題】人工物の加工・取付け等を出来るだけ減らし、自然木をよりそのまま活かした形態の多目的に利用可能な木製装飾具を提供する。【解決手段】自然木を利用した木製装飾具は、根部および先端部を両端とする幹と、幹から伸長した自然枝と、を含む自然木の前記幹を地面に対して略水平に載置し、載置された自然木の地面側と、地面側と鉛直方向に対向する開放側とを有する。自然木の幹の地面側の自然枝から選択した複数の枝の先端部を地面と水平に揃断して、幹を地面に対して略水平となるように支持する脚部を備える。【選択図】図１
0003164888.tif 000002
【実用新案登録請求の範囲】
【請求項１】
根部および先端部を両端とする幹と、前記幹から伸長した自然枝と、を含む自然木の前記幹を地面に対して略水平に載置し、
前記載置された自然木の地面側と、該地面側と鉛直方向に対向する開放側とをそれぞれ加工した木製装飾具であって、
前記自然木の幹の地面側の自然枝から選択した複数の枝の先端部を前記地面と水平に揃断して、該幹を該地面に対して略水平となるように支持する脚部を備える、自然木を利用した木製装飾具。
【請求項２】
前記幹の水平方向および長手方向に所定面積を有する前記地面に水平な台部と、
前記幹の鉛直方向および水平方向に一定面積を有する前記地面に略垂直な該幹の断面状の２つの側壁と、
を有し、前記台部と前記２つの側壁とがそれぞれ接続したセルを備える、請求項１に記載の自然木を利用した木製装飾具。
【請求項３】
前記幹の長手方向に、該幹の未加工部をそれぞれ挟んで複数の前記セルを連続して装設した、請求項２に記載の自然木を利用した木製装飾具。
【請求項４】
前記幹の水平方向および長手方向に所定面積を有する、前記地面に水平な台部と、
前記幹の鉛直方向および水平方向に所定面積を有する、前記地面に略垂直な該幹の断面状の２つの側壁と、
前記幹の鉛直方向および長手方向に所定面積を有する、前記地面に略垂直な後壁と、
を有し、
前記台部と前記後壁とが前記２つの側壁とそれぞれ接続した後壁付きセルを備える、請求項１に記載の自然木を利用した木製装飾具。
【請求項５】
前記幹の長手方向に、該幹の未加工部をそれぞれ挟んで複数の前記後壁付きセルを連続して装設した、請求項４に記載の自然木を利用した木製装飾具。
【請求項６】
請求項２に記載のセルと請求項４に記載の後壁付きセルを、前記幹の長手方向に、該幹の未加工部をそれぞれ挟んで複数個無作為に連続して装設した、自然木を利用した木製装飾具。
【請求項７】
前記自然木の根部及び／又は先端部を切除した、請求項１乃至６のいずれか１項に記載の自然木を利用した木製装飾具。
【請求項８】
前記自然木の根部及び先端部を地面に対して略垂直に切断して、一端と他端を備えた幹を形成し、該幹を長手方向に水平に全て切除して該地面に水平な台部を形成した、請求項１に記載の自然木を利用した木製装飾具。
【請求項９】
前記台部に垂直に取手を設けた、請求項８に記載の自然木を利用した木製装飾具。
【請求項１０】
前記台部に垂直にパラソルを設けた、請求項８または９に記載の自然木を利用した木製装飾具。
【考案の詳細な説明】
【技術分野】
【０００１】
本考案は、自然木を利用した木製装飾具に関し、より詳しくは自然木の容姿を保ちつつこれを加工した木製の椅子やベンチ、テーブル、装飾台等の木製装飾具に関する。
【背景技術】
【０００２】
行楽地や公園等では、原木を長手方向に半切りにして切断面を上にしたベンチを見かける。また、自然木の醸し出す落ち着いた雰囲気や優しい触感、臭いは人に安らぎ感を与えるため、木を用いた家具や調度品、装飾具など様々な木製加工品を身近に見出すことが出来る。
【０００３】
これら木製の日用品の中でも、自然木の形態をより自然に近い形態で提供するものに、上記丸太を利用したベンチが上げられるが、従来の丸太ベンチは脚部や肘掛を半切りの丸太に固定したものである。例えば特許文献１に開示されている３人用半切り丸太ベンチは、足として石や煉瓦を、座る部分には石、コンクリート、モザイク等無機質なものを使用している。
【０００４】
【特許文献１】特開２００６−５６０８３号公報
【考案の概要】
【考案が解決しようとする課題】
【０００５】
そこで本考案は、人工物の加工・取付け等を出来るだけ減らし、自然木をよりそのまま活かした形態の多目的に利用可能な木製装飾具を提供することを目的とする。
【課題を解決するための手段】
【０００６】
本考案に係る自然木を利用した木製装飾具は、根部および先端部を両端とする幹と、前記幹から伸長した自然枝と、を含む自然木の前記幹を地面に対して略水平に載置し、前記載置された自然木の地面側と、該地面側と鉛直方向に対向する開放側とをそれぞれ加工した木製装飾具であって、前記自然木の幹の地面側の自然枝から選択した複数の枝の先端部を前記地面と水平に揃断して、該幹を該地面に対して略水平となるように支持する脚部を備える。
【０００７】
本考案に係る自然木を利用した木製装飾具は、前記幹の水平方向および長手方向に所定面積を有する前記地面に水平な台部と、前記幹の鉛直方向および水平方向に一定面積を有する前記地面に略垂直な該幹の断面状の２つの側壁と、を有し、該台部と該２つの側壁とがそれぞれ接続したセルを備える。
【０００８】
本考案に係る自然木を利用した木製装飾具は、前記幹の長手方向に、該幹の未加工部をそれぞれ挟んで複数の前記セルを連続して装設してもよい。
【０００９】
本考案に係る自然木を利用した木製装飾具は、前記幹の水平方向および長手方向に所定面積を有する、前記地面に水平な台部と、前記幹の鉛直方向および水平方向に所定面積を有する、前記地面に略垂直な該幹の断面状の２つの側壁と、前記幹の鉛直方向および長手方向に所定面積を有する、前記地面に略垂直な後壁と、を有し、前記台部と前記後壁とが前記２つの側壁とそれぞれ接続した後壁付きセルを備え得る。
【００１０】
本考案に係る自然木を利用した木製装飾具は、前記幹の長手方向に、該幹の未加工部をそれぞれ挟んで複数の前記後壁付きセルを連続して装設してもよい。
【００１１】
本考案に係る自然木を利用した木製装飾具は、上記セルと上記後壁付きセルを、前記幹の長手方向に、該幹の未加工部をそれぞれ挟んで複数個無作為に連続して装設し得る。
【００１２】
本考案に係る自然木を利用した木製装飾具は、前記自然木の根部及び／又は先端部を切除してもよい。
【００１３】
本考案に係る自然木を利用した木製装飾具は、前記自然木の根部及び先端部を地面に対して略垂直に切断して、一端と他端を備えた幹を形成し、該幹を長手方向に水平に全て切除して該地面に水平な台部を形成し得る。
【００１４】
本考案に係る自然木を利用した木製装飾具は、前記台部に垂直に取手を設けてもよい。
【００１５】
本考案に係る自然木を利用した木製装飾具は、前記台部に垂直にパラソルを設けてもよい。
【００１６】
本考案に係る自然木を利用した木製装飾具の製造方法は、根部および先端部を両端とする幹と、前記幹から伸長した自然枝と、を含む自然木を準備するステップと、前記自然木の前記幹を地面に対して略水平に載置するステップと、前記自然木の幹の地面側の自然枝から選択した複数の枝の先端部を前記地面と水平に揃断して、該幹を該地面に対して略水平となるように支持する脚部を形成するステップと、前記幹の長手方向の一定幅を開放側から鉛直方向に該幹の長手方向と垂直に切削して、該幹の鉛直方向および水平方向に一定面積を有する前記地面に略垂直な該幹の断面状の２つの側壁を形成するステップと、前記幹の長手方向の一定幅を水平方向に切削して、該幹の水平方向および長手方向に所定面積を有する前記地面に水平な台部を形成するステップと、前記台部と前記２つの側壁とを接続したセルを形成するステップと、を備える。
【００１７】
本考案に係る自然木を利用した木製装飾具の製造方法は、前記幹の長手方向の一定幅を開放側から鉛直方向に該幹の長手方向と垂直に切削して、該幹の鉛直方向および水平方向に所定面積を有する、前記地面に略垂直な該幹の断面状の２つの側壁を形成するステップと、前記幹の長手方向の一定幅を開放側から鉛直方向に該幹の長手方向と平行に切削して、該幹の鉛直方向および長手方向に所定面積を有する、前記地面に略垂直な後壁を形成するステップと、前記幹の長手方向の一定幅を水平方向に切削して、該幹の水平方向および長手方向に所定面積を有する、前記地面に水平な台部を形成するステップと、前記台部と前記後壁とを前記２つの側壁にそれぞれ接続して後壁付きセルを形成するステップと、を含む。
【考案の効果】
【００１８】
本考案に係る自然木を利用した木製装飾具は、根部および先端部を両端とする幹と、幹から伸長した自然枝とを含む自然木を、そのままの容姿を保持したまま切削加工して製造することが出来る。したがって、従来の丸太の原木を半切りにした丸太ベンチと異なり、脚部や肘掛等を取り付けることなく、より自然に近い形態で腰掛、装飾台、簡易テーブルその他の装飾具を提供することが出来る。
【００１９】
上記のように、本木製装飾具は自然枝を脚部として用いるなど自然木の原形を保持して製造するため、これを使用する人に落ち着き感や安らぎ感を与え、また、人は自然が醸し出す美や触感を楽しむことができる。
【図面の簡単な説明】
【００２０】
【図１】本考案に係るセルを有する自然木を利用した木製装飾具の斜視図。
【図２】本考案に係るセルを複数有する自然木を利用した木製装飾具の斜視図。
【図３】本考案に係る後壁付きセルを有する自然木を利用した木製装飾具の斜視図。
【図４】本考案に係る後壁付きセルを複数有する自然木を利用した木製装飾具の斜視図。
【図５】両端を有し、セルおよび後壁付きセルを複数有する本考案に係る自然木を利用した木製装飾具の斜視図。
【図６】本考案に係る他の実施形態の自然木を利用した木製装飾具の斜視図。
【考案を実施するための形態】
【００２１】
以下、図面を参照しながら本考案に係る自然木を利用した木製装飾具の実施形態について説明する。なお、以下各図面を通して同一の構成要素には同一の符号を使用するものとする。
【００２２】
本考案に係る自然木を利用した木製装飾具は、図１に示すように、根部１２および先端部１４を両端とする幹１０と、幹１０から伸長した自然枝１６と、を含む自然木２の幹１０を地面１００に対して略水平に載置し、この載置された自然木２の幹１０の地面側Ａと、地面側Ａと鉛直方向に対向する開放側Ｂとをそれぞれ加工した木製装飾具１である。なお、幹１０の地面側Ａと開放側Ｂとに明確な境界を設けるわけではなく、地面側Ａを下側と、開放側Ｂを上側とよぶこともある。
【００２３】
木製装飾具１は、自然木２の幹１０の地面側Ａの自然枝１６から選択した複数の枝の先端部を地面１００と水平に揃断して、幹１０を地面１００に対して略水平となるように支持する脚部２０を有する。
【００２４】
また、木製装飾具１は、幹１０の水平方向Ｙおよび長手方向Ｘに所定面積を有する地面１００に水平な台部３２と、幹１０の鉛直方向Ｚおよび水平方向Ｙに一定面積を有する地面１００に略垂直な幹１０の断面状の２つの側壁３４と、を有し、台部３２と側壁３４とがそれぞれ接続したセル３０を備える。なお本明細書において、図１に示すように、木製装飾具１（幹１０）の水平方向Ｙとは図面の手前から奥方向へ向かうＹ方向とし、鉛直方向Ｚは木製装飾具１（幹１０）の開放側Ｂから地面側Ａへ向かう方向とする。
【００２５】
すなわち、セル３０は、自然木２の幹１０の一部を切除した部分であり、幹１０の長手方向Ｘの一定幅をＹ方向（水平方向）及びＺ方向（鉛直方向）に切削して接続させ、地面１００に対して水平な台部３２と略垂直な２つの側壁３４とを有するセルである。また脚部２０は、先端の全面が地面１００に接地して、幹１０を安定に支持するのに十分な強度を持つ、十分な本数の自然枝１６を加工して製造する。脚部２０より長く、脚部２０が安定に接地することを妨げる自然枝１６は切断し、その他の自然枝１６は装飾として残しても或いは切断してもよい。
【００２６】
木製装飾具１の根部１２は、立木を伐採する際に通常は切断されて自然木２の一部として残らないが、立木を根こそぎ引き抜いた場合は、そのまま残して加工等して意匠として用いてもよい。先端部１４も、そのまま意匠として用いてもよい。以下、根部１２と先端部１４は、特に切断すると断らない限り、自然木２の一部として木製装飾具１を構成するものとする。
【００２７】
この自然木２を加工した木製装飾具１の台部３２は、腰掛として用いてもよいし、装飾品を載置する装飾台として用いてもよく、簡易なテーブルその他の用途に用いることも出来る。ただし、自然木２を加工した木製装飾具１をベンチや椅子など、特に人間が腰掛ける物品として用いる場合、木製装飾具１は、脚部２０が人間等の重量に十分耐え得るように十分太くて強い枝１６を選択し揃断して製造されなければならない。
【００２８】
あるいは本発明の木製装飾具１は、図２に示すように、幹１０の長手方向Ｘに、幹１０の未加工部１８をそれぞれ挟んで複数のセル３０を連続して装設してもよい。幹１０の未加工部１８は、例えば木製装飾具１を椅子やベンチとして用いる場合、肘掛として利用することが出来る。
【００２９】
一方、木製装飾具１の他の実施形態として、木製装飾具１は図３に示すように、幹１０の水平方向Ｙおよび長手方向Ｘに所定面積を有する地面１００に水平な台部３２と、幹１０の鉛直方向Ｚおよび水平方向Ｙに所定面積を有する地面１００に略垂直な当該幹１００の断面状の２つの側壁３４と、幹１０の鉛直方向Ｚおよび長手方向Ｘに所定面積を有する地面１０に略垂直な後壁３６とを有し、台部３２と後壁３６とが２つの側壁３４とそれぞれ接続した後壁付きセル３０’を備えもよい。
【００３０】
この、他の実施形態における木製装飾具１は、幹１０の水平方向Ｙの後方に自然木２の一部を残して後壁３６を形成する点が、上記実施形態と異なっている。台部３２、側壁３４、後壁３６は、それぞれ相互に滑らかに接続されてもよい。後壁３６は、例えば木製装飾具１を椅子やベンチとして用いる場合、背もたれとして利用することが出来る。あるいは後壁付きセル３０’を装飾台として用いるなら、後壁３６を絵や写真等を飾る装飾壁として利用することが出来る。
【００３１】
また、上記実施形態と同様に、幹１０の長手方向Ｘに、幹１０の未加工部１８をそれぞれ挟んで複数の後壁付きセル３０’を連続して装設してもよい（図４）。あるいは、上記セル３０と後壁付きセル３０’を、幹１０の長手方向Ｘに、幹１０の未加工部１８をそれぞれ挟んで複数個無作為に連続して装設してもよい。
【００３２】
さらに、図５に示すように、本考案に係る自然木２を利用した木製装飾具１は、自然木２の根部１２及び／又は先端部１４を切除して、一端１０Ｌと他端１０Ｒを有する木製装飾具１としてもよい。上記のように、立木を伐採する際は通常、根部１２を土中に残して自然木２を切断するため、木製装飾具１は自然木２の根部１２側に一端１０Ｌを有するのがむしろ普通である。また、自然木２の先端部１４は、幹１０が略一定の太さを保つように切断されるのが好適である。
【００３３】
根部１２及び／又は先端部１４を切り取ることにより、コンパクトな木製装飾具１とすることが出来る。図５において、セル３０と後壁付きセル３０’の個数は任意であり１個のみでもよく、複数個の場合はこの２種類のセルは順不同に装設されてよい。
【００３４】
あるいは更に別の実施例として、木製装飾具１は図６に示すように、自然木２の根部１２及び先端部１４を地面１００に対して略垂直に切断して、一端１０Ｌと他端１０Ｒを備えた幹１０を形成し、幹１０の開放側Ｂを長手方向Ｘと水平方向Ｙに全て切除して、地面１００に水平な台部３２を形成してもよい。すなわち、この実施形態においては、木製装飾具１は、脚部２０を下側（地面側Ａ）に備えた幹１０の上側（開放側Ｂ）を、長手方向に略半切りにして切断面を上にして台部３２を形成する。
【００３５】
このような木製装飾具１には、図示しないが、台部３２に垂直に取手を設けて肘掛としてもよいし、台部３２に垂直にパラソルを設けて日よけ雨よけとしてもよい。
【００３６】
以上のような本考案に係る自然木を利用した木製装飾具１は、次のような手順で製造することが出来る。
【００３７】
すなわち、本考案に係る自然木を利用した木製装飾具１の製造方法は、
（１）根部１２および先端部１４を両端とする幹１０と、幹１０から伸長した自然枝１６と、を含む自然木２を準備するステップ
（２）自然木２の幹１０を地面１００に対して略水平に載置するステップ
（３）自然木２の幹１０の地面側Ａの自然枝１６から選択した複数の枝の先端部を地面１００と水平に揃断して、幹１０を地面１００に対して略水平となるように支持する脚部２０を形成するステップ
（４）幹１０の長手方向Ｘの一定幅を、開放側Ｂから鉛直方向（Ｚ方向）に幹１０の長手方向Ｘと垂直に切削して、幹１０の鉛直方向（Ｚ方向）および水平方向（Ｙ方向）に一定面積を有する地面１００に略垂直な幹１０の断面状の２つの側壁３４を形成するステップ
（５）幹１０の長手方向Ｘの一定幅を、水平方向（Ｙ方向）に切削して、幹１０の水平方向（Ｙ方向）および長手方向（Ｘ方向）に所定面積を有する地面１００に水平な台部３４を形成するステップ、
（６）台部３２と２つの側壁３４とを接続したセル３０を形成するステップ、
を備える。
【００３８】
また、上記他の実施形態における後壁付きセル３０’を備える製装飾具１の製造方法は、上記ステップ（１）〜（３）を同一とし、これに続くステップは以下の（４）’〜（７）’とする製造方法である。
【００３９】
（４）’ 幹１０の長手方向Ｘの一定幅を、開放側Ｂから鉛直方向（Ｚ方向）に幹１０の長手方向Ｘと垂直に切削して、幹１０の鉛直方向（Ｚ方向）および水平方向（Ｙ方向）に所定面積を有する、地面１００に略垂直な幹１０の断面状の２つの側壁３４を形成するステップ
（５）’ 幹１０の長手方向Ｘの一定幅を、開放側Ｂから鉛直方向（Ｚ方向）に幹１０の長手方向Ｘと平行に切削して、幹１０の鉛直方向（Ｚ方向）および長手方向（Ｘ方向）に所定面積を有する、地面１００に略垂直な後壁３６を形成するステップ
（６）’ 幹１０の長手方向Ｘの一定幅を水平方向（Ｙ方向）に切削して、幹１０の水平方向（Ｙ方向）および長手方向（Ｘ方向）に所定面積を有する、地面１００に水平な台部３２を形成するステップ
（７）’台部３２と後壁３６とを２つの側壁３４にそれぞれ接続して後壁付きセル３０’を形成するステップ
【００４０】
一端１０Ｌと他端１０Ｒを有する木製装飾具１を製造するには、単に根部１２および先端部１４を地面１００に略垂直に切断すればよい。
【００４１】
さらに、図６に示す木製装飾具１は、自然木２の根部１２及び先端部１４を地面１００に対して略垂直に切断して一端１０Ｌと他端１０Ｒを備えた幹１０を形成し、脚部２０を下側（地面側Ａ）に備えた幹１０の上側（開放側Ｂ）を、長手方向に略半切りにして切断面を上にして台部３２を形成すればよい。
【００４２】
以上、本考案に係る自然木を利用した木製装飾具及びその製造方法について、図を参照して説明したが、本考案の自然木を利用した木製装飾具は上記実施形態に限定されるものではない。自然木の種類は特に限定されないが、用途に応じて脚部の強度には十分注意する必要が有る。自然木の根部、先端部、幹から伸長する自然枝等は、完成品である木製装飾具全体の意匠の構成に応じて切断、装飾したり或いは研磨・塗装等行ってよく、自由に処分してよい。また、防腐のため防腐剤を塗布したり、幹内に防腐機構を別途設けてもよい。
【００４３】
その他、本考案は、その主旨を逸脱しない範囲で当業者の知識に基づき種々の改良、修正、変更を加えた態様で実施できるものである。
【産業上の利用可能性】
【００４４】
本考案に係る木製装飾具の、腰掛、装飾品を載置する装飾台、簡易なテーブルその他の用途に利用することが出来る。
【符号の説明】
【００４５】
１：木製装飾具
２：自然木
１０：幹
１２：根部
１４：先端部
１６：自然枝
１８：未加工部
２０：脚部
３０：セル
３０’：後壁付きセル
３２：台部
３４：側壁
３６：後壁
１００：地面
【図１】
0003164888.tif 000003
【図２】
0003164888.tif 000004
【図３】
0003164888.tif 000005
【図４】
0003164888.tif 000006
【図５】
0003164888.tif 000007
【図６】
0003164888.tif 000008